(57)【特許請求の範囲】
【請求項１】
配管図や配線図のような機器を幹線に接続して配置したシンボル結線図を作成するシンボル結線図作成装置において、
シンボルが生成される際に削除される幹線要素線分の削除点を、前記シンボルに予め定められた代表点からの相対座標として、シンボルごとに格納したシンボルマスターと、
利用者に、図面上で機器をあらわすシンボルを指定させるシンボル決定手段と、
前記利用者に、前記シンボルの図面上での配置位置を指定させるシンボル配置位置決定手段と、
前記シンボルマスターに格納された、前記シンボル決定手段において指定されたシンボルに対応する削除点と、前記シンボル配置位置決定手段において指定された配置位置とから、幹線要素線分における幹線削除点を求め、該幹線削除点で特定される幹線要素線分を削除する接続線生成加工手段と、
を有することを特徴とするシンボル結線図作成装置。
【請求項２】
配管図や配線図のような機器を幹線に接続して配置したシンボル結線図を作成するシンボル結線図作成装置において、
シンボルが生成される際に追加される幹線要素線分の追加点を、前記シンボルに予め定められた代表点からの相対座標として、シンボルごとに格納したシンボルマスターと、
利用者に、図面上で機器をあらわすシンボルを指定させるシンボル決定手段と、
前記利用者に、前記シンボルの図面上での配置位置を指定させるシンボル配置位置決定手段と、
前記シンボルマスターに格納された、前記シンボル決定手段において指定されたシンボルに対応する追加点と、前記シンボル配置位置決定手段において指定された配置位置とから、幹線要素線分における幹線追加点を求め、該幹線追加点で特定される幹線要素線分を追加する接続線生成加工手段と、
を有することを特徴とするシンボル結線図作成装置。
【請求項３】
配管図や配線図のような機器を幹線に接続して配置したシンボル結線図を作成するシンボル結線図作成装置において、
シンボルが生成される際に追加される幹線要素線分の追加点を、前記シンボルに予め定められた代表点からの相対座標として、シンボルごとに格納したシンボルマスターと、
利用者に、図面上で機器をあらわすシンボルを指定させるシンボル決定手段と、
前記利用者に、前記シンボルの図面上での配置位置を指定させるシンボル配置位置決定手段と、
前記シンボルマスターに格納された、前記シンボル決定手段において指定されたシンボルに対応する追加点と、前記シンボル配置位置決定手段において指定された配置位置とから、幹線要素線分における接続線の追加点を求め、該接続線の追加点に接続線を追加する接続線生成加工手段と、
を有することを特徴とするシンボル結線図作成装置。
【請求項４】
コンピュータを、
利用者に、図面上で機器をあらわすシンボルを指定させるシンボル決定手段と、
前記利用者に、前記シンボルの図面上での配置位置を指定させるシンボル配置位置決定手段と、
シンボルが生成される際に削除される幹線要素線分の削除点を、前記シンボルに予め定められた代表点からの相対座標として、シンボルごとに格納したシンボルマスターに格納された、前記シンボル決定手段において指定されたシンボルに対応する削除点と、前記シンボル配置位置決定手段において指定された配置位置とから、幹線要素線分における幹線削除点を求め、該幹線削除点で特定される幹線要素線分を削除する接続線生成加工手段として動作させることを特徴とするシンボル結線図作成プログラムを記録したコンピュータ読み取り可能な記録媒体。
【請求項５】
コンピュータを、
利用者に、図面上で機器をあらわすシンボルを指定させるシンボル決定手段と、
前記利用者に、前記シンボルの図面上での配置位置を指定させるシンボル配置位置決定手段と、
シンボルが生成される際に追加される幹線要素線分の追加点を、前記シンボルに予め定められた代表点からの相対座標として、シンボルごとに格納したシンボルマスターに格納された、前記シンボル決定手段において指定されたシンボルに対応する追加点と、前記シンボル配置位置決定手段において指定された配置位置とから、幹線要素線分における幹線追加点を求め、該幹線追加点で特定される幹線要素線分を追加する接続線生成加工手段として動作させることを特徴とするシンボル結線図作成プログラムを記録したコンピュータ読み取り可能な記録媒体。
【請求項６】
コンピュータを、
利用者に、図面上で機器をあらわすシンボルを指定させるシンボル決定手段と、
前記利用者に、前記シンボルの図面上での配置位置を指定させるシンボル配置位置決定手段と、
シンボルが生成される際に追加される幹線要素線分の追加点を、前記シンボルに予め定められた代表点からの相対座標として、シンボルごとに格納したシンボルマスターに格納された、前記シンボル決定手段において指定されたシンボルに対応する追加点と、前記シンボル配置位置決定手段において指定された配置位置とから、幹線要素線分における接続線の追加点を求め、該接続線の追加点に接続線を追加する接続線生成加工手段として動作させることを特徴とするシンボル結線図作成プログラムを記録したコンピュータ読み取り可能な記録媒体。
【発明の詳細な説明】
【０００１】
【発明の属する技術分野】
本発明は二次元および三次元ＣＡＤ分野に属し、特に配管図や配線図のような機器を幹線に接続して配置した図面の作成技術にかかわる。
【０００２】
【従来の技術】
従来、配管図や配線図のような機器を幹線に接続して配置した図面の作成において、幹線と機器との接続部分の接続線の作図や幹線上の機器接続部分の加工などの操作が煩雑で作図に時間がかかる、という課題があった。ここで、幹線と呼ぶものは、例えばガスの屋内配管図の場合ではガス会社が工事敷設する金属のガス管を指す。これに対し、接続線と呼ぶものは機器を幹線とつなぐためのもので、例えばガスストーブの場合のゴムホースやメーターの引き込み管のように機器に固有に伴う配管材料を指している。幹線と接続線は図面上では異なる線種を用いるのが通例である。
【０００３】
例えば、図２(b) のような屋内ガス配管の幹線配置図があらかじめ与えられている場合、これに機器を接続して図２(a) のような屋内ガス配管機器接続配置図を作成する場合を考える。通常の二次元および三次元ＣＡＤ装置では図２(c) に示すような機器シンボルがメニューウィンドウで用意されており、操作者はこれらをマウスなどで選択して所定の位置に貼りつける。しかし、図２(a) に示すように、例えば５個の機器シンボルを配置した場合、これに伴う接続線の追加（３カ所）や幹線の追加（２カ所）、幹線の削除（３カ所）などの操作は操作者が丹念に位置合わせをしながら所定の追加削除を行っていた。
【０００４】
従来このような接続線処理技術で類似のものでは、フローチャートや木構造図におけるノード配置に連動する接続線処理技術が開示されている。例えば、文献特開平３−２０４０８４号ではフローチャートのようにシンボルとシンボルとを接続する接続線がシンボル配置に連動する技術が開示されている。また、文献特開平４−４０５６６号では、木構造図作成のように接続線の方向性が意味を持ちシンボル配置位置は意味を持たない図形の整形技術が開示されている。
【０００５】
しかしながら、これらの技術は上述の屋内ガス配管機器接続配置図のようにシンボル配置位置を規定する要因（この場合は幹線要素線分の配置）が複雑である場合には適用することができず、幹線と機器シンボルとの接続を効率よく行う技術が求められていた。
【０００６】
【発明が解決しようとする課題】
上述のように、従来の技術では、幹線と機器との接続部分の接続線の作図や幹線上の機器接続部分の加工などの操作が煩雑で作図に時間がかかる、という課題があった。本発明はこのような課題を解決するシンボル結線図作成装置を提供することを目的とする。
【０００７】
【課題を解決するための手段】
配管図や配線図のような機器を幹線に接続して配置したシンボル結線図を作成する場合に、幹線と機器との接続部分の接続線の作図や幹線上の機器接続部分の加工などの操作が煩雑で作図に時間がかかる、という上記課題は、図１に示す如く、図面上で機器をあらわすシンボルを決定するシンボル決定手段１と、前記シンボルの図面上での配置位置を決定するシンボル配置位置決定手段２と、前記シンボルと幹線との接続形態に関するデータを格納するシンボルマスター６と、前記シンボルマスター６を用いて、当該シンボルと幹線とを接続するための接続線を生成し、または、当該シンボルを幹線と接続するために幹線の接続部分を加工する接続線生成加工手段３と、を有することを特徴とするシンボル結線図作成装置を提供することによって解決される。
【０００８】
すなわち、一般に従来のシンボル結線図作成装置は、図７に示す如く、シンボルマスター６に格納されている各種シンボルを参照しながら、データ入力部から配置すべきシンボルやその位置を指定するデータを作図制御部に入力する。作図制御部では、これをすでに配置されてある幹線に対応する幹線要素線分データベース９と対比し、またシンボルマスター６および図面環境パラメータを参照しつつ、その配置位置を決定し描画シンボル接続データベース８にこれを格納する。
【０００９】
本発明請求項１のシンボル結線図作成装置では、これに加え、図１に示す如く、作図制御部に接続線生成加工手段３を設け、当該のシンボルの配置に関連する接続線の作成が必要な場合、これを認識して描画シンボル接続データベース８に接続線データを書き込む。また本発明請求項２のシンボル結線図作成装置では、当該シンボルの配置に関連する幹線の追加または一部削除が必要な場合、接続線生成加工手段３はこれを認識して幹線要素線分データベース９に所要データを書き込む。描画制御部７ではこれらの結果更新された描画シンボル接続データベース８、および幹線要素線分データベース９を参照して、図面環境パラメータが指定する図面上にシンボル結線図を作成し表示部にこれを表示し、また印刷部でこれを印刷する。
【００１０】
また、本発明のシンボル結線図作成装置では、上記シンボル配置位置決定の際に図面環境パラメータによって指定されるグリッド座標を基準にしてシンボル配置位置決定を行うことも可能である。ここにグリッドとは図３(a)(b)に示す如く、アイソメ図や平面図など作成する図面の種類に応じて基準となる座標系を示す格子線であって、通常シンボル結線図は、指定によりグリッド上もしくはグリッドに平行に幹線要素線分が配置され、また、配置される機器シンボルも、その代表点がグリッド交点上もしくはその近傍に配置されるものである。
【００１１】
【発明の実施の形態】
シンボル結線図作成装置の実施例を図１〜図７により説明する。なお、本発明におけるコンピュータ処理は、コンピュータプログラムにより当該コンピュータの主記憶装置上で実行されるが、このコンピュータプログラムの提供形態は、当該コンピュータに接続された補助記憶装置をはじめ、フロッピーディスクやＣＤ−ＲＯＭ等の可搬型記憶装置やネットワーク接続された他のコンピュータの主記憶装置及び補助記憶装置等の各記録媒体に格納されて提供されるもので、このコンピュータプログラムの実行に際しては、当該コンピュータの主記憶装置上にローディングされ実行されるものである。
【００１２】
図１は本発明のシンボル結線図作成装置の実施例のブロック構成例である。シンボルマスター６には図２(c) に一部の例を示すように各種シンボルデータがあり、本実施例ではシンボル決定手段１はこれをメニューウィンドウに提示し、データ入力部の位置座標入力手段４で所望のシンボルを選択させる。このような選択方法は公用の技術であり、その詳細はここでは図示を省略する。
【００１３】
シンボルと幹線の接続に際しては、シンボル毎にその配置位置、幹線加工、接続線作成に特性があり、本実施例ではこれを図２(c) に示す如く４つの接続種に分類した。すなわち、第１種シンボルは幹線上に配置され、その部分の幹線を削除する必要があるが、接続線は存在しない。第２種シンボルは幹線端に配置され、接続のための幹線を追加する必要があるが接続線は存在しない。第３種と第４種シンボルはともに幹線外の近傍に配置され、１本ないし２本の接続線で幹線と接続する。第３種の場合は接続のための幹線を追加する必要があり、第４種では逆に幹線一部を削除する必要がある。なお、この分類はガス関連機器を対象とした一例であって、他の用途のシンボル結線図作成においてはさらに異なる他の接続種を定義してもよいことはいうまでもない。
【００１４】
これらのシンボルと幹線、接続線との間で種々の点が定義される。図３(c) にはこれらの定義点の例と命名を示した。これを接続種によってまとめると図４(b) のようになる。すなわち第１種では幹線削除点１（Ｋ１）および幹線削除点２（Ｋ２）が、第２種では幹線端追加点（ＫＴ）が、第３種では幹線端追加点（ＫＴ）および接続線1 終了点（Ｅ１）が、また第４種では幹線削除点１（Ｋ１）、幹線削除点２（Ｋ２）、接続線1 終了点（Ｅ１）、接続線2 終了点（Ｅ２）が定義されている。なお、図４(b) で第２種および第３種の幹線部追加ＫＴ−ＫＸとあるように、追加される幹線要素の既存幹線上の接続点をＫＸと表記することとする。
【００１５】
これらの点はシンボル毎に定まるものであり、図４(a) に示すようにシンボルマスター６のシンボルレコード毎に、その接続種、接続定義点、接続線種データが設定されている。また、図に示すように、同じ二口ガステーブル（グリル 付き）をあらわすシンボルであっても、平面図用のものとアイソメ図用のものがあり（ここではこれを図種と称する）、さらに、縦配置、横配置またはアイソメ図における右あがり配置、左あがり配置によって（ここではこれを方向種と称する）図面データは個別にとられている。したがって図４(a) のように一つのシンボル名称に対し複数のシンボルコード sid のシンボルが存在し、そのいずれを選択するかによって図種、方向種が定まる。
【００１６】
本実施例では図種については操作者があらかじめ設定し、図１の図面環境パラメータに格納されているものとする。したがって、シンボル決定手段１の操作性を向上するために、シンボル決定手段１が操作者に示すシンボルメニューはこの定められた図種に対応するシンボルのみとしたり、さらに、その方向種の選択方法についても種々の方法がある。例えば、本発明者が既に出願した特願平１０−０４２３００号出願明細書にはその方法の一例が示されているが、本発明の本質と関わるものではないのでここでは説明を省略する。
【００１７】
また、本実施例では同じく本発明の本質と関わらぬ部分の簡略化のために、描画シンボル接続データベース８および幹線要素線分データベース９は規定の図種に依存した座標系データで作成されているものとした。しかし、一般には入力済の幹線配置、シンボル配置を変えずに図種を変更することにより描画を変換できることが望まれており、そのためには描画シンボル接続データベースおよび幹線要素線分データベースを図種に依存しない形で別に保持することが望ましい。このような図１に陽に明記していない、図種非依存の描画シンボル接続データベースまたは幹線要素線分データベースから、描画のための図種を規定した描画シンボル接続データベース８または幹線要素線分データベース９に変換することは公用の技術であり、本発明が図種非依存の描画シンボル接続データベース８または幹線要素線分データベース９に対しても実施できることはいうまでもない。
【００１８】
さて、本実施例のシンボルマスター６ではシンボルの図面データおよび各種定義点はシンボル毎に定められた代表点D （図３(c) に例示）を原点とする相対座標で記述されている。図４(a) で図面データをリロケータブルと記してこのことを示している。これらシンボルを実際の図面上の配置位置に配置することは代表点D の図面上の座標を決定することに他ならない。すなわち、シンボル配置位置決定手段２はシンボル決定手段１から示されたシンボルコード sid の代表点D の図面上の座標を決定する。それと同時に他の定義点の図面上の座標も決定する。以降の表記では、このように図面上の絶対座標値で決定された代表点D を示すのに代表点Daと記すこととする。同様にシンボルマスター６に格納されるリロケータブルな図面データZ を図面データZrとし、代表点Daによって図面上の座標が決められた図面データZ のことを図面データZaと表記する。すなわちシンボル配置位置決定手段２はシンボルマスター６内の所定のシンボルコード sid の図面データZrを代表点Daによって絶対座標化し、図面データZaとして描画シンボル接続データベース８に格納する。他の定義点K1,K2,KT,E1,E2などについても同様とする。
【００１９】
以上の表記法によって作図制御部の詳細な動作を図５により説明する。図５は作図制御部を中心に示した構成例である。シンボル決定手段１は操作者入力により配置すべきシンボルのシンボルコード sid を決定する。シンボル配置位置決定手段２は幹線上接続位置決定手段５およびグリッド位置修正手段21および接続点決定手段22から成る。
【００２０】
その動作概要は、位置座標入力手段４から与えられた指示点P から幹線上接続位置決定手段５はシンボルコード sid のシンボルを接続すべき対象の幹線要素線分KpKqを確定し、グリッド位置修正手段21はその幹線要素線分KpKq上の接続点V を確定する。ここで接続点V はシンボルと幹線との接続に関係する幹線上の点であり、その決め方および意味づけについては後に詳述する。そして接続点決定手段22はこれら幹線要素線分KpKqおよび接続点V をもとに各種接続点K1a,K2a,KXa,KTa,E1a,E2a および代表点Daを決定する。描画シンボル接続データベース８にはこれら決定されたシンボルのシンボルコード sid および代表点Daが格納される。接続線生成加工手段３は接続点決定手段22から得られた各種接続点K1a,K2a,KXa,KTa,E1a,E2a をもとに接続線K1E1、接続線K2E2の生成を行い描画シンボル接続データベース８に格納する。また幹線KTKXの追加および幹線K1K2の削除を幹線要素線分データベース９に対して行う。以下にこれらシンボル配置位置決定手段２および接続線生成加工手段３の動作を詳述する。
【００２１】
図５においてシンボル決定手段１から受けたシンボルコード sid の示す方向種h からシンボル配置位置決定手段２の中の接続幹線候補抽出手段51は接続対象となる資格をもつ幹線要素線分を幹線要素線分データベース９中の幹線データ (KiKj)から抽出する。すなわち、幹線要素線分データベース９中の幹線データ (KiKj)は図６(b) に示す如く幹線要素線分の集合であり、各幹線要素線分はその方向種（例えば左上がりは２、右上がりは１）の値を持っているので、接続幹線候補抽出手段51は示された方向種h と合致する幹線要素線分のみを抽出する。
【００２２】
次に接続幹線要素決定手段52は上記の如く抽出された幹線要素線分のそれぞれに指示点P から引いた垂線の足V'を求め、線分PV' の長さすなわち指示点P と幹線要素線分KpKqとの間隔を指示間隔d として求める。そしてそれぞれの指示間隔d のうちこれが最小となる幹線要素線分KpKqを決定する。これにより与えられたシンボルが接続される幹線要素線分を決定することができた。次にグリッド位置修正手段21は図面環境パラメータを参照して、シンボル配置モードがグリッド線上モードかグリッド平行モードかを調べる。前者の場合はシンボルをグリッド線上におくために、幹線要素線分KpKq上で点V'にもっとも近いグリッド線上の点を求め、この点を接続点V と定める。後者の場合には接続点V は点V'そのものとする。かくしてグリッド位置修正手段21は接続点V および指示間隔d を決定する。
【００２３】
次に接続点決定手段22は、シンボルマスター６からシンボルコード sid のレコードを取り出し、上記幹線要素線分KpKq、接続点V 、指示間隔d に基づき接続点K1a,K2a,KXa,KTa,E1a,E2a を決定する。その方法はシンボルコード sid の接続種type（第１種から第４種）により異なるので、以下に接続種typeの値毎に説明する。
【００２４】
シンボルコード sid の接続種typeは図４(a) に示す如くシンボルマスター６から得られる。接続点決定手段22は接続種typeが第１種である場合、図３(d) に示す如く代表点Daを接続点V そのものとする。すなわち第１種シンボルは代表点D が幹線上に位置する如く定義されているものとしている。接続点決定手段22は代表点Daを決定すると、これから図面データZaを求めこれらを描画シンボル接続データベース８に格納すると共に、関連する幹線削除点１（Ｋ１）および幹線削除点２（Ｋ２）を接続点K1a,K2a として求め、これを接続線生成加工手段３に送る。
【００２５】
接続種typeが第２種の場合、接続点決定手段22は図３(d) に示す如く接続点V から追加幹線を作るべく、追加幹線端KXを接続点V に重ねてKXa を決定する。そして接続点V より幹線要素線分KpKqに立てたグリッド平行線上の距離max(d,sd) の位置に接続点KTa を決定する。ここにmax(d,sd) は指示間隔d と標準間隔sdとの大きな方をとることを意味し、指示間隔d が小さ過ぎる（幹線要素線分KpKqに近づき過ぎた指示点P であった）場合、一定の標準追加幹線長を確保すべく、あらかじめ図４(a) のシンボルレコード上で設定された標準間隔sdの位置に接続点KTa を配置するのである。かくして幹線端追加点（ＫＴ）が定まり、代表点Daをはじめとする図面データZaが定まるので、これらの値を描画シンボル接続データベース８および接続線生成加工手段３に送ることは接続種type第１種の場合と同様である。
【００２６】
接続種typeが第３種の場合も第２種の場合と同様に接続点V を追加幹線端KXa と確定し、これから距離max(d,sd) によって幹線端追加点（ＫＴ）を確定する。次に接続点決定手段22はシンボルマスター６から該当の標準線長n1を求め、追加幹線KTKXの延長上に標準線長n1の点E1を確定し、接続線1 終了点（Ｅ１）とする。このように接続点E1a が定まり、これをもとに代表点Da、図面データZaが定まるので、接続点決定手段22はやはりこれらの値を描画シンボル接続データベース８および接続線生成加工手段３に送る。
【００２７】
接続種typeが第４種の場合も似た手法を取る。第４種の場合は図３(d) に示すように、代表点D はあらかじめ接続線1 終了点（Ｅ１）および接続線2 終了点（Ｅ２）の中点に設定されているので、接続点V と代表点D を結ぶ線分VDがグリッド線に平行となり、かつ線分VDはシンボルマスター６で定められた標準線長n1、標準線長n2と所定の関係、例えば、VD=(n1+n2)/2といった関係にあるので、この条件を用いて、接続点決定手段22は代表点Daの座標を決定する。また、接続点V を中心に幹線要素線分KpKq上の両側にE1E2/2の距離ずつ離れた２点を求め、これらを幹線削除点１（Ｋ１）、幹線削除点２（Ｋ２）と確定できる。このように代表点Da、図面データZa、接続点K1a,K2a,E1a,E2a が定まるので、接続点決定手段22はやはりこれらの値を描画シンボル接続データベース８および接続線生成加工手段３に送る。
【００２８】
最後に接続線生成加工手段３の動作を説明する。接続線生成加工手段３は図５に示す如く、幹線要素線分を削除する幹線要素削除手段31、幹線要素線分を追加する幹線要素追加手段32および接続線を生成する接続線生成手段33から成る。既に説明した如く、これらは接続点決定手段22から送られるシンボルの接続種に応じて取捨選択され動作する。すなわち、第１種シンボルの場合、接続線生成加工手段３は幹線要素削除手段31を動作させ、幹線要素線分K1K2を削除する。削除の方法としては、本実施例では既存の幹線要素線分データベース９内の幹線データ (KiKj)を変更するのではなく、新たに白色の幹線要素線分K1K2を追加上書きすることにより実質的に幹線要素線分を削除した。図６(b) に幹線要素線分データベース９のレコード構造例を示すが、ここに含まれる線色＝白の幹線要素線分レコードは、このようにして幹線要素削除手段31が（削除を）追加したものである。なお、幹線の線種は図面環境パラメータによってあらかじめ固定値（図６(b) の例では線幅４ポイント）で統一されているものとした。
【００２９】
第２種シンボルデータが送られて来た場合、接続線生成加工手段３は幹線要素追加手段32を起動して幹線要素線分KTKXを作成しこれを幹線要素線分データベース９に書き込む。第３種シンボルデータに対しても同様の幹線要素線分の追加を行う。
【００３０】
なお、第３種シンボルデータの場合には、上記のほかに所定の接続線K1E1の生成が必要である。よって接続線生成加工手段３は接続線生成手段33を起動し、接続線K1E1を作成する。一般に接続線は図２に例示した二口ガステーブル（グリル 付き）の接続線のように、直線ではないことも多い。接続線の線種については、接続線生成手段33は与えられたシンボルコード sid によって図４(a) のシンボルマスター６を参照して、該当の接続線コードから決定する。例示の場合(GY1,n121)によってオブジェクト名GY1 、パラメータn121からゴムホースのアイソメ図右上がり型の接続線オブジェクトが得られる。この際、線端K1,E1 の座標は接続点決定手段22から受け取って確定しているので、接続線生成手段33はこれらの情報から所定の接続線K1E1を作成し、描画シンボル接続データベース８に格納する。
【００３１】
最後に第４種シンボルデータの場合は接続線生成加工手段３は幹線要素削除手段31を起動して、すでに述べた白色の幹線要素線分K1K2を幹線要素線分データベース９に追加することにより幹線要素線分K1K2を図面上から削除する。また接続線生成手段33を起動して接続線K1E1および接続線K2E2を生成し、描画シンボル接続データベース８に格納する。
【００３２】
このようにして得られた、描画シンボル接続データベース８および幹線要素線分データベース９の内容に基づいて、図１の描画制御部７は随時シンボル配置の操作のつど、これらシンボル結線図を表示部に表示し、また要求により印刷部で印刷させるが、その方法については周知であり、ここでは説明を省略する。
【００３３】
【発明の効果】
以上の説明から明らかなように、本発明によれば、シンボル配置の操作によって幹線と機器との接続部分の必要な接続線が作図され、また不要な幹線の削除や必要な幹線の作図が的確に迅速になされるので、シンボル結線図作成に際して、幹線と機器シンボルとの接続を効率よく行うことができる、という効果がある。
【図面の簡単な説明】
【図１】シンボル結線図作成装置の構成例
【図２】シンボル結線図の作成例
【図３】幹線配置例とシンボルおよび接続定義点
【図４】シンボルマスターと接続定義点の設定例
【図５】作図制御部の構成例
【図６】描画データベースの構造例
【図７】従来のシンボル結線図作成装置の構成例
【符号の説明】
１  シンボル決定手段
２  シンボル配置位置決定手段
３  接続線生成加工手段
４  位置座標入力手段
５  幹線上接続位置決定手段
６  シンボルマスター
７  描画制御部
８  描画シンボル接続データベース
９  幹線要素線分データベース
21  グリッド位置修正手段
22  接続点決定手段
31  幹線要素削除手段
32  幹線要素追加手段
33  接続線生成手段
51  接続幹線候補抽出手段
52  接続幹線要素決定手段
sid     シンボルコード
P       指示点
KpKq    幹線要素線分
type    接続種
D,Da    代表点
V,K1r,K2r,KTr,E1r,E2r,K1a,K2a,KXa,KTa,E1a,E2a   接続点
Zr,Za   図面データ
h       方向種
m       モード
d       指示間隔
sd      標準間隔
n1,n2   標準線長
【図１】
0003669188.tif 000002
【図２】
0003669188.tif 000003
【図３】
0003669188.tif 000004
【図４】
0003669188.tif 000005
【図５】
0003669188.tif 000006
【図６】
0003669188.tif 000007
【図７】
0003669188.tif 000008